Podtech/llm-jp-corpus-v4-ja_patent huggingface dataset:
(57)【要約】      （修正有）【課題】左右いずれでも使用できる洗剤要らずの食器洗い用手袋を提供する。【解決手段】従来からある洗剤いらずの食器洗い用のアクリル繊維毛糸の形状は平面状のものだけであり、食器などのふちを洗う時、手がずれ怪我をする。アクリル繊維毛糸を親指と他の４本の指を一つにまとめた手袋形にすることで親指と人差し指の付け根が繋がっているＶ字状の部分で怪我をさせないですむ。【選択図】図２
0003158198.tif 000002
【実用新案登録請求の範囲】
【請求項１】
アクリル繊維毛糸を親指と他の４本の指を一つにまとめた形状で左右から使用できる洗剤要らずの食器洗い用手袋
【請求項２】
請求項１からなる食器洗い用以外に使用できるアクリル繊維毛糸の手袋
【考案の詳細な説明】
【技術分野】
【０００１】アクリル繊維毛糸を使った食器洗いシートの形状に関する
【背景技術】
【０００２】親指と人差し指の付け根がお皿などを洗う時お皿などの角で怪我をすることがある
【考案の概要】
【考案が解決しようとする課題】
【０００３】親指と人差し指の付け根がお皿などを洗う時お皿などの角で怪我をするのを防止できる
【考案が解決するための手段】
【０００４】アクリル繊維毛糸を親指と他の４本の指を一つにまとめた形状の手袋にする
【考案の効果】
【０００５】アクリル繊維毛糸を親指と他の４本の指を一つにまとめた手袋形にすることで親指と人差し指の付け根が繋がっているＶ字状の部分で怪我をさせないですむ。
【図面の簡単な説明】
【図１】４本の指をまとめた筒状を開いたＡと親指の筒状を開いたＢの平面図
【図２】側面図
【考案を実施するための形態】
【０００６】この実施形態での編み方は手首の部分が伸びる様にしながら編みこむ必要がある。
【実施形態の効果】
【０００７】アクリル繊維毛糸を親指と他の４本の指を一つにまとめた手袋形にすることで親指と人差し指の付け根が繋がっているＶ字状の部分で怪我をさせないですむ。
【他の形態の効果】
従来からある洗剤いらずの食器洗い用のアクリル繊維毛糸の形状は平面状のものだけであり、食器などのふちを洗う時、手がずれ怪我をする。
【符号の説明】［図１］  Ａは４本の指をまとめた筒状を平面状にした本体の絵図
Ｂは親指の筒状を平面状にした親指の絵図
［図２］  完成した側面図
【図１】
0003158198.tif 000003
【図２】
0003158198.tif 000004
【手続補正書】
【提出日】平成21年7月13日(2009.7.13)
【手続補正１】
【補正対象書類名】実用新案登録請求の範囲
【補正対象項目名】全文
【補正方法】変更
【補正の内容】
【実用新案登録請求の範囲】
【請求項１】
アクリル繊維毛糸を  親指と他の４本の指を一つにまとめた形状の手袋形に編んだ手袋形であって上からでも下からでも差し込める。左手又は右手で使用できる洗剤要らずの食器洗い用手袋
【請求項２】
請求項１からなる食器洗い用以外の風呂場、浴槽、野菜（ゴボウ、大根、人参に傷をつけず泥を落とす）等にも使用できるアクリル繊維毛糸の手袋形です。
【手続補正書】
【提出日】平成21年10月20日(2009.10.20)
【手続補正１】
【補正対象書類名】実用新案登録請求の範囲
【補正対象項目名】全文
【補正方法】変更
【補正の内容】
【実用新案登録請求の範囲】
【請求項１】
アクリル繊維毛糸を親指の１指だけ作り他の４本の指を１つにまとめた形状の手袋形で４本の指を入れる部分をトンネル状に編んだ形状の洗剤要らずの食器洗い用手袋。
(57)【要約】      （修正有）【課題】カップ味噌汁やお茶を新たに購入する必要がなく経費を節約することのできる弁当箱セットまた、家族からのいたわりも伝わる弁当箱セットを提供する。【解決手段】弁当箱本体１０の中に透明な中仕切板１９を配置して、中仕切板１９の下に味噌汁入れ容器１６とお茶入れ容器１３を収納し、中仕切板１９の上には分離板１８を設けて、ご飯２１とおかず２２を分けて入れられるようにし、中仕切板１９の裏面には、いたわりが伝わるカードを差し込むポケット１２が設けられている。【選択図】図１
0003158827.tif 000002
【実用新案登録請求の範囲】
【請求項１】
弁当箱本体（１０）の中に透明な中仕切板（１９）を配置して、中仕切板（１９）の下に味噌汁入れ容器（１６）とお茶入れ容器（１３）を収納し、中仕切板（１９）の上には分離板（１８）を設けて、ご飯（２１）とおかず（２２）を分けて入れられるようにし、中仕切板（１９）の裏面には、いたわりが伝わるカード（２６Ａ〜２６Ｄ）を差し込むポケット（１２）が設けられている弁当箱セット。
【考案の詳細な説明】
【技術分野】
【０００１】  本考案は、一つの弁当箱におかず入れ、ご飯入れ、味噌汁入れ、お茶入れ、はし箱、いたわりの伝わるポケットをセットにした弁当箱セットに関するものである。
【背景技術】
【０００２】  従来一般の弁当箱には、２段重ねするものや２枠で仕切るものがある。
【先行技術文献】
【特許文献】
【０００３】
【特許文献１】特開２００６−２０４７７５号公報
【特許文献２】特開平成１０−３０４９２３号公報
【考案の概要】
【考案が解決しようとする課題】
【０００４】  しかしながら、従来の弁当箱に味噌汁やお茶を付け加えて食する場合、カップ味噌汁やペットボトルや、缶入りお茶を別途に購入する必要があり、出費が嵩む問題があった。特に最近は昼食代をできるだけ抑えようとする傾向がある。【０００５】  本考案の弁当箱セットは、このような従来の弁当箱が有して問題を解決しようとするものであり、これらのカップ味噌汁やお茶を新たに購入する必要がなく経費を節約することのできる弁当箱セットまた、家族からのいたわりも伝わる弁当箱セットを提供することを目的とする。
【課題を解決するための手段】
【０００６】  本考案の弁当箱セットは、弁当箱本体１０の中に透明な中仕切板１９を配置して、中仕切板１９の下に味噌汁入れ容器１６とお茶入れ容器１３を収納し、中仕切板１９の上には分離板１８を設けて、ご飯２１とおかず２２を分けて入れられるようにし、中仕切板１９の裏面には、いたわりが伝わるカード２６Ａ〜２６Ｄを差し込むポケット１２が設けられていることを特徴とする。【０００７】  弁当を食べ進めると、透明な仕切板のポケットに差し込んだカードから家族からのいたわりが伝わってくるので、楽しく弁当が食べられる。ディサービス、職場、高齢者にも広く利用できる効果を発揮する。
【考案の効果】
【０００８】  上述したように本考案の弁当箱セットは、ご飯とおかず以外に味噌汁入れ容器、お茶入れ容器を弁当箱の中に収納することで、これらを別に購入する出費を減らすことができる。また、お弁当を詰める時一言言葉や絵文字カードをポケットに差し入れて弁当袋に包んで、渡せるから、お弁当を食べ進めると家族からの感謝と気持のいたわりが伝わりこれによって食の大切さと健康増進を図ることができる。
【図面の簡単な説明】
【０００９】
【図１】（Ａ）は本考案の実施形態を示す弁当箱セットの斜視図、（Ｂ）はその断面図。
【図２】弁当箱セットを分解した状態の斜視図。
【図３】弁当箱セットの仕切板を裏から見た様子を示す斜視図。
【図４】（Ａ）〜（Ｄ）はポケットに差し込むカードである。
【考案を実施するための最良の形態】
【００１０】  以下、本考案を実施するための最良の形態について図面を参照して説明する。図１ないし図４は、本考案の実施形態を示すもので、これらの図において符号１は弁当箱セットを示している。【００１１】  弁当箱セット１は、弁当箱本体１０と蓋１１とを有する。弁当箱本体１０には、お茶入れ容器１３と味噌汁入れ容器１６を収納し、それらの上に透明な中仕切板１９が配置されている。中仕切板１９の上には、ご飯２１をのせられるようになっている。中仕切板１９の上面には上の収納空間を左右に分離する分離板１８が設けられ、ご飯２１とおかず２２を分けて入れることができる。また、中仕切板１９には垂直板２０によりお茶入れ容器１３と味噌汁入れ容器１６の収納空間と、おかず２２の収納空間を分けることができる。【００１２】  中仕切板１９の下面にはポケット１２が設けられている。ポケット１２には、家族からのいたわりが伝わってくるカード２６Ａ〜２６Ｄを差し込むことができる。弁当箱本体１０の側面には中に収納したお茶入れ容器１３と味噌汁入れ容器１６を取り出ための開放口１５が設けられている。弁当箱本体１０のもう一つの側面には、お茶入容器１３と味噌汁入れ容器１６の側方に、はし箱２４を出し入れするはし箱出し入れ口２５が設けられている。開放口１５の反対側の側面には、お茶入れ容器１３と味噌汁入れ容器１６を押し出すための押出穴２６が設けられている。
【符号の説明】
【００１３】１    弁当箱セット
１０  弁当箱セット本体
１１  蓋
１２  ポケット
１３  お茶入れ容器
１４  突起
１５  開放口
１６  味噌汁入れ容器
１７  垂直板
１８  分離板
１９  中仕切板
２０  垂直板
２１  ご飯
２２  おかず
２３  落下防止固定板
２４  はし箱
２５  はし箱出し入れ口
２６  押し出し穴
【図１】
0003158827.tif 000003
【図２】
0003158827.tif 000004
【図３】
0003158827.tif 000005
【図４】
0003158827.tif 000006
(57)【要約】      （修正有）【課題】使用後の傘から雨水が滴り落ちて床面を濡らすことを防ぎ、かつ、適度に足元に明るさを得ることができる傘用集水カバーを提供する。【解決手段】巻き収め状態の傘本体を石突より挿入する大径内孔の上段ソケットと、挿入された石突が位置する小径内孔で、而も集水用の有底下段ソケットと、この上下段ソケット間を相互に差込連結して伸縮自在となる多数の中段ソケットと、更に下段ソケットに施された夜光表示部とで成す。【選択図】図１
0003158828.tif 000002
【実用新案登録請求の範囲】
【請求項１】
巻き収め状態の傘本体を石突より挿入する大径内孔の上段ソケットと、挿入された石突が位置する小径内孔で、而も集水用の有底下段ソケットと、この上下段ソケット間を相互に差込連結して伸縮自在となる多数の中段ソケットと、更に下段ソケットに施された夜光表示部とで成したことを特徴とした傘用集水カバー。
【請求項２】
前記上段ソケットは、反射シールを貼着したことを特徴とした請求項１記載の傘用集水カバー。
【請求項３】
前記上段ソケットは、引掛用フックを備えたことを特徴とした請求項１又は２記載のボード用組合せ止具。
【考案の詳細な説明】
【技術分野】
【０００１】
本考案は使用後、嵩張らない様に傘地を巻き付けた状態にて収納すると共に、傘地の雨水が床面に滴下しない様に集水するカバーに関する。
【背景技術】
【０００２】
使用後の傘から雨水が滴り落ち、特に建物の玄関ホール、ロビー等の床面を濡らし往来者が転倒する危険性すら伴う。
又、公共の乗物内、繁華街等において本人は勿論、他人への配慮も欠かせない。
そこで、近時それらの場所においてポリエチレン製の薄膜袋が用意されているが、使い捨てが現状であり、省資源からも憂慮される。
更に、下記文献の如く傘収納時は伸ばして収納すると共に集水し、且つ不使用時は縮めてバック等収める合成樹脂製の傘用集水カバーが存在する。
而して、この文献１は、水滴が付かない様にコンパクトに収納できるものであるか、それ以上の機能は有していない。
【先行技術文献】
【特許文献】
【０００３】
実用新案登録第３１３３７３１号・・・・・文献１
【考案の概要】
【考案が解決しようとする課題】
【０００４】
特に、夜間に傘を杖として使用した場合における足元の不安感、更には傘の使用後、建物内の壁隅に濡れた傘を立てかけた場合に倒れることによって、折角キャップにてプールしていた雨水が零れて床面を濡らすことの課題を解決する。
【課題を解決するための手段】
【０００５】
本考案は、巻き収め状態の傘本体を石突より挿入する大径内孔の上段ソケットと、挿入された石突が位置する小径内孔で、而も集水用の有底下段ソケットと、この上下段ソケット間を相互に差込連結して伸縮自在となる多数の中段ソケットと、更に下段ソケットに施された夜光表示部とで成したことを特徴としたものである。
【０００６】
更に本考案は上段ソケットは、反射シールを貼着したことを特徴としたものである。又本考案は上段ソケットは、引掛用フックを備えたことを特徴としたものである。
【考案の効果】
【０００７】
・  請求項１により、仕舞い込んだ傘からの水滴は集水用の有底下段ソケットにてプールされ、建物の床面を濡らすことはなく、而も夜間において下段ソケットに施された夜光表示部にて、適度に足元への明るさを得られることができる。
【０００８】
・  請求項２により、上段ソケットの反射シールによって前記夜光表示部に加え、より一層の明るさが得られる。
【０００９】
（３）請求項３により、フックにて建物内の所定位置に引掛け、傘が倒れてキャップにプールした雨水が零れて床面を濡らす様なことはない。
【図面の簡単な説明】
【００１０】
【図１】傘用集水カバーを伸延して傘本体に装備した正面図
【図２】同上の収縮した正面図
【図３】同上の拡大部分斜視図
【図４】上段ソケットの拡大断面面図
【図５】下段ソケットの拡大断面面図
【図６】引掛用フックの斜視図
【考案を実施するための形態】
【００１１】
以下本考案を実施例として掲げた図面に基いて説明すると、図１は傘用集水カバー体Ｃを伸延して傘に装備した正面図であって、傘本体Ｐは、ナイロン、布地等の傘地Ｐａ、柄Ｐｂ、握柄Ｐｃ、石突Ｐｄにて構成されている。而して、傘用集水カバーは大径内孔１ａの上段ソケット１と、小径内孔２ａの有底下段ソケット２と、更には中段ソケット３にて集水カバー本体Ｃを構成し、有底下段ソケット２にて巻き収めした状態の傘地Ｐａから滴り落ちる雨水をプールする。
【００１２】
具体的には、この有底下段ソケット２は、キャップ４を捻じ込んでいる。従って、不必要時は、縮めた状態にて傘本体Ｐの石突Ｐｄに備えて置く。勿論、バック等に仕舞い込んでもよい。
更に、上段ソケット１と下段ソケット２及び多数の中段ソケット３は、夫々の内孔１ａ、２ａ、３ａに相互に差込連結して伸縮自在、即ち蛇腹状としている。
具体的には、前記有底下段ソケット２は小径内孔２ａで、而も外周にネジ゛部２ｄを有するソケット部２ｃとこのソケット部２ｃのネジ゛部２ｄに螺合するキャップ４とで成している。
【００１３】
而して、下段ソケット２には、発光塗料を塗布して夜光表示部５を付している。
更に上段ソケット１にはＣ型リング６ａと引掛け子６ｂとで構成したフック６を備えており、建物内の所定位置に引掛ける。
勿論、このフック６をズボンベルト、或いはショルダーに引掛けてもよい。
又、上段ソケット１には反射シール７を貼着している。
【符号の説明】
【００１４】
Ｐ    傘本体
Ｐａ  傘地
Ｐｂ  柄、
Ｐｃ  握柄
Ｐｄ  石突
Ｃ    集水カバー本体
１    上段ソケット
２    有底下段ソケット
３    中段ソケット
４    キャップ
５    夜光表示部
６    フック
７    反射シール
【図１】
0003158828.tif 000003
【図２】
0003158828.tif 000004
【図３】
0003158828.tif 000005
【図４】
0003158828.tif 000006
【図５】
0003158828.tif 000007
【図６】
0003158828.tif 000008
【手続補正書】
【提出日】平成22年2月18日(2010.2.18)
【手続補正１】
【補正対象書類名】実用新案登録請求の範囲
【補正対象項目名】請求項３
【補正方法】変更
【補正の内容】
【請求項３】
前記上段ソケットは、引掛用フックを備えたことを特徴とした請求項１又は２記載の傘用集水カバー。
(57)【要約】      （修正有）【課題】防音パネルであると同時に壁面緑化も可能にするパネルを提供する。【解決手段】保水シート４に育成した苔３を飛散防止ネット２で固定したものを、プラスチックボード５に接着した苔パネル６を防音パネル１に装着することによって、緑化対策防音パネルを造ることが可能である。【選択図】図１
0003158847.tif 000002
【実用新案登録請求の範囲】
【請求項１】
防音パネルに苔パネル（６）を装着し防音性能と緑化性能を会わせもつ緑化・防音パネル。
【考案の詳細な説明】
【技術分野】
【０００１】
本考案は、防音パネルであると同時に壁面緑化も可能にするパネルである。
【背景技術】
【０００２】
従来の防音パネルには、緑化性能はなかった。
【考案の開示】
【考案が解決しようとする課題】
【０００３】
従来の防音パネルで防音壁を建築しても壁面緑化をするためには、下地を施工し、つる植物等を植えて、それが成長して下地を覆うのを待たなければならなかった。
【課題を解決するための手段】
【０００４】
本考案の緑化防音パネルは、従来の防音パネル（１）に、育成した苔（３）をプラスチックボード（５）下地に接着した保水シート（４）に飛散防止ネット（２）で取り付けた苔パネル（６）を装着することによって、完成する。本考案の緑化・防音パネルを用いて、防音壁を施工すると同時に壁面緑化も可能となる。
【図面の簡単な説明】
【０００５】
【図１】本考案の断面図
【図２】本考案の平面図
【符号の説明】
【０００６】
（１）防音パネル
（２）飛散防止ネット
（３）苔
（４）保水シート
（５）プラスチックボード
（６）苔パネル
【図１】
0003158847.tif 000003
【図２】
0003158847.tif 000004
【手続補正書】
【提出日】平成22年2月16日(2010.2.16)
【手続補正１】
【補正対象書類名】実用新案登録請求の範囲
【補正対象項目名】全文
【補正方法】変更
【補正の内容】
【実用新案登録請求の範囲】
【請求項１】
防音パネルに苔パネル（６）を装着し防音性能と緑化性能を併せ持つ緑化・防音パネル。
(57)【要約】      （修正有）【課題】乳房の裏にたまる汗などの不快感を無くすための下着を提供する。【解決手段】下着本体の裏に汗の吸水構造を有する素材で、乳房を入れるポケットを設けた構造の下着。女性しかわからない苦しみ（汗疹ただれ）の予防やブラジャーの締め付けから開放される。冬の厚着による不快なムレを防ぐことにもなる。ポケットで乳房がかくれ表から見えない。乳房の裏にかく汗も吸水できる。【選択図】図１
0003158880.tif 000002
【実用新案登録請求の範囲】
【請求項１】
下着本体の裏に汗の吸水構造を有する素材で、おっぱいを入れるポケットを設けた構造のおっぱいポケット付き下着。
【考案の詳細な説明】
【技術分野】
【０００１】  本考案は、乳房の裏にたまる汗などの不快感を無くすための下着に関するものである。
【背景技術】
【０００２】  ブラジャーのポッケトはパットを入れるもので、若いときは気になりませんが中高年になると、ブラジャーの締め付けが苦しくはずす事が多くなる。
乳房が大きく痩せてくるとおっぱい垂れ下がり、肌と肌がくっついて汗疹やかゆみになやまされる。
【考案の概要】
【考案が解決しようとする課題】
【０００３】  きついブラジャーからの開放と、おっぱいの裏にかく汗などの不快感を無くす。
【課題を解決するための手段】
【０００４】  本考案おっぱいポケット付き下着は、下着本体の裏に汗の吸水構造の素材で、おっぱいを入れるポケットを縫い付けたものである。
【考案の効果】
【０００５】  女性しかわからない苦しみ（汗疹ただれ）の予防やブラジャーの締め付けから開放される。冬の厚着による不快なムレを防ぐことにもなる。ポケットでおっぱいがかくれ表から見えない。おっぱいの裏にかく汗も吸水できる。
【図面の簡単な説明】
【０００６】
【図１】本考案おっぱいポケット付き下着の正面図
【図２】図１のＡ−Ａ断面図
【実施例】
【０００７】  以下実施例のおっぱいポケット付き下着は、図１・２に示す下着、この実施例はタンクトップ１の前側上部内面に、おっぱいを入れるポケット２を設けたものである。ポケット２は吸水構造の素材で作られている。タンクトップの胸元は、一般に広く開いている。タンクトップを頭からかぶり胸元のところから手を入れておっぱいポケットに乳房を入れて着る。
【符号の説明】
【０００８】  １  下着本体（タンクトップ）
２  ポケット
【図１】
0003158880.tif 000003
【図２】
0003158880.tif 000004
(57)【要約】      （修正有）【課題】電気柵を設置するときに、ＦＲＰ支柱の打設とフックの取り付けや調整作業が早く簡単にできる、電気柵用支柱を提供する。【構成】少なくとも表面が絶縁性の材料でつくられた支柱２０の先端２３から２０ｃｍ以上の位置に、弾性材料でつくられ、２つのつまみ部をつまんで力を加えるとフック本体の内径が拡径しフックの高さの位置を自在に変えられるフック２１を１個以上締着して設けた。 【選択図】図２
0003158875.tif 000002
【実用新案登録請求の範囲】
【請求項１】
電気柵を構成する電気柵用支柱であって、
少なくとも表面が絶縁性の材料でつくられた支柱（２０）の先端（２３）から２０ｃｍ以上の位置に、弾性材料でつくられ、２つのつまみ部（２１a,２１ｂ）をつまんで力（３０）を加えるとフック本体の内径が拡径（３１）しフックの高さの位置を自在に変えられるフック（２１）を１個以上締着して設けた電気柵用支柱。
【考案の詳細な説明】
【技術分野】
【０００１】
本考案は、牛等の畜産動物が牧場以外へ脱出するのを防止するため、あるいは田畑に猪、鹿等の害獣が侵入するのを防止するために、牧場あるいは田畑の周囲に設置される電気柵の支柱に関するものである。
【背景技術】
【０００２】
従来、例えば中山間地域の農村地帯では、田畑を荒らす猪、鹿等の害獣を電気ショックで撃退するために、田畑の周囲に裸電線を張り巡らしこの裸電線に衝撃電圧を印加するようにした電気柵が多く使用されている。
【０００３】
この電気柵は猪用であれば、図１に示すように、田畑の周囲に打設された支柱２に取り付けられた碍子１ａ、碍子１ｂに裸電線３ａ、裸電線３ｂを係止して、裸電線３ａ、裸電線３ｂを田畑の周囲に張設し、その裸電線３ａ、裸電線３ｂを約５０ｍごとに裸電線からなる上下結線４で結線したものである。
【０００４】
地表より１段目の裸電線３ｂは地表より約２０ｃｍ程度、２段目の裸電線３ａは裸電線３ｂの上方約２０ｃｍ程度の位置に張設されている。そして、この張設された裸電線３ａ、裸電線３ｂに衝撃電圧発生装置５より発生された衝撃電圧が印加されている。
【０００５】
田畑に侵入しようとして、この張設された裸電線３ａもしくは裸電線３ｂに接触した猪等の害獣には図中の矢印のように衝撃電圧発生装置５の出力端子６、出力線７、裸電線３ａ、上下結線４、裸電線３ｂ、猪８、地中９、アース棒１０、アース線１１、アース端子１２の順路で衝撃電流が流れ、猪８は電気ショックにより電撃を受け、田畑へ侵入する意欲を失い、侵入をあきらめる。
【０００６】
通常、図１に示すように、電気柵用支柱には鋼管に樹脂を被膜した樹脂皮膜鋼管（２）と、碍子（１a,１b）には特許文献１のような本体がプラスチックで成形された碍子（１a,１b）が用いられる。
【０００７】
しかし最近では、電気柵用支柱には電気を絶縁するグラスファイバー製のＦＲＰ支柱と,碍子の役目として特許文献２のフックが用いられる割合が増えてきた。
【０００８】
これまでの電気柵を設置するときのＦＲＰ支柱とフックにかかる作業を説明する。
１．ＦＲＰ支柱を地面に打設する作業。
２．ＦＲＰ支柱に特許文献１のフックを取付ける作業。
３．ＦＲＰ支柱に取付けられたフックの高さを調整する作業。
【０００９】
しかし、次の問題がある。
１．ＦＲＰ支柱を地面に打設する作業では、
・支柱の打ち込み深さにばらつきがでる。
・特に複数人で作業する場合はもっと、支柱の打ち込み深さにばらつきがでる。
２．ＦＲＰ支柱に特許文献１のフックを取付ける作業では、
・一定の労力と時間を要する。
３．ＦＲＰ支柱に取付けられたフックの高さを調整する作業では、
・一定の労力と時間を要する。
【先行技術文献】
【特許文献】
【００１０】
【特許文献１】意匠登録第１１６７６０７号
【特許文献２】特許登録第２８４３２９１号
【考案の概要】
【考案が解決しようとする課題】
【００１１】
本考案が解決しようとする課題は、電気柵を設置するときに、ＦＲＰ支柱とフックにかかる作業が、早く簡単にできる、電気柵用支柱を提供することにある。
【課題を解決するための手段】
【００１２】
本考案は、少なくとも表面が絶縁性の材料でつくられた支柱（２０）の先のとがった先端（２３）から２０ｃｍ以上の位置に、弾性材料でつくられ、２つのつまみ部（２１a,２１ｂ）をつまんで力を加える（３０）とフック本体の内径（３１）が拡径しフックの高さの位置を自在に変えられるフックを１個以上締着させたことを特徴とするものである。
【考案の効果】
【００１３】
本考案の電気柵用支柱は、電気柵を設置するときに、ＦＲＰ支柱とフックにかかる作業が次のように、大きく改善される。
１．ＦＲＰ支柱を地面に打設する作業では、
・１段目のフック（２１）が地表からの高さ２０ｃｍほどの位置になるように打ち込めばよく、支柱の打ち込み深さにばらつきがでない。
２．ＦＲＰ支柱にフックを取付ける作業が、いらない。
３．ＦＲＰ支柱に取付けられているフックの高さを調整、しなくていい。
【図面の簡単な説明】
【００１４】
【図１】電気柵の概要図
【図２】本考案の電気柵用支柱の正面図
【図３】本考案の電気柵用支柱のフック部分の背面拡大図
【図４】本考案の電気柵用支柱のフック部分を上から見た参考図
【図５】本考案の電気柵用支柱のフック部分のつまみ部に力を加えた参考図
【考案を実施するための形態】
【００１５】
以下、実施例にもとづき電気柵を設置するときに、支柱とフックにかかる作業の本考案の実施の形態を説明する。
図２は本考案の電気柵用支柱の正面図、図３は本考案の電気柵用支柱のフック部分の背面拡大図である。
【００１６】
電気柵を設置するときに、支柱とフックにかかる作業について、
１．本考案の電気柵用支柱（２０）を地面に打ち込む要領は、支柱（２０）の先のとがっ
た先端（２３）を地面にあてて、支柱の頭部（２４）を木づちなどで地面に打ち込んでいく。
打ち込む目安は、１段目のフック（２１）が地表からの高さ２０ｃｍ前後の位置になればよい。
なお、フックの位置を支柱（２０）の先端（２３）から２０ｃｍ以上の位置に取付けている理由は、支柱の地中への打ち込み深さが通常は最低でも２０ｃｍ前後となるの
で、フックが地中に埋もれないためである。
２．ＦＲＰ支柱にはフックが取付けてあるので、支柱にフックを取付ける必要はない。
３．支柱に取付けられているフックの位置の高さは、猪などの害獣に効果のある位置
の高さに取付けてあるので、フックの位置の高さを調整する必要はない。
【符号の説明】
【００１７】
１a,１ｂ  碍子
２  支柱
３a,３ｂ  裸電線
４  上下結線
５  衝撃電圧発生装置
６  出力端子
７  出力線
８  猪
９  地中
１０  アース棒
１１  アース線
１２  アース端子
２０  電気柵用支柱
２１，２２  フック
２１a,２１ｂ  フックのつまみ
２３  支柱の先端
２４  支柱の頭部
３０  フックのつまみ部に加える力の向き
３１  フック本体の内径が拡径したところ
【図１】
0003158875.tif 000003
【図２】
0003158875.tif 000004
【図３】
0003158875.tif 000005
【図４】
0003158875.tif 000006
【図５】
0003158875.tif 000007
(57)【要約】【課題】  開封後において窓の透明シートの取り外しが容易に行える、リサイクル使用に便利な窓付き封筒を提供する。【解決手段】  方形の窓３の内面に沿って方形の透明シート５が貼られた窓付き封筒において、透明シート５はその貼り付けが粘着材９により、かつ、その角部７を残す状態に行われてなる窓付き封筒。【選択図】図３
0003158877.tif 000002
【実用新案登録請求の範囲】
【請求項１】
方形の窓の内面に沿って方形の透明シートが貼られた窓付き封筒において、
前記透明シートはその貼り付けが粘着材により、かつ、その角部を残す状態に行われてなることを特徴とする窓付き封筒。
【請求項２】
前記角部に表示マークが付されてなる請求項１記載の窓付き封筒。
【請求項３】
開封型である請求項１記載の窓付き封筒。
【考案の詳細な説明】
【技術分野】
【０００１】  この考案は、窓付き封筒の改良に関する。
【背景技術】
【０００２】  最近においては、使用済みの封筒を再生紙としてリサイクル使用することが行われている。その際、窓付き封筒の場合には、使用後窓の内面に貼り付けられたセロファン等の合成樹脂製の透明シートを取り除く必要があり、その作業は人手を要するので非常に手間がかかり、この点が窓付き封筒のリサイクル使用の妨げとなっている。
【考案の概要】
【考案が解決しようとする課題】
【０００３】  そこで、その取り除きが容易に行われるように、封筒の窓部分をミシン目で囲うようにして切り離せるようにしたものがあるが、やはりその切り離しに手間がかかる。【０００４】  この考案は、上記の事情に鑑みて行ったもので、窓の透明シートの取り外しが容易に行える、リサイクル使用に便利な窓付き封筒を提供することを目的とする。【０００５】  この考案では、方形の窓の内面に沿って方形の透明シートが貼られた窓付き封筒において、透明シートはその貼り付けが粘着材により、かつ、その角部を残す状態に行われてなることを特徴とする窓付き封筒を提供する。【０００６】  上記構成によれば、開封した状態において透明シートの粘着材が存在しない角部を指先で挟み持って引くことで透明シートが取り剥がされる。透明シートを大形としてその内側位置を粘着材により貼り付ける構成としその外周部分を持って透明シートを引き剥がすことが考えられるが、その場合には封筒使用に際して透明シートの外周部分がヒラヒラ状態となり封筒内へ書面等を入れる際にそのヒラヒラ部分が邪魔となり、かつ、そこに引っかかって透明シートを剥がしてしまうような恐れがある。また、透明シートの外周の一部に取り剥がし時に持つ部分を突出形成することも考えられるが、その場合には透明シートが方形とならないことで材料歩止まりが悪くなって製造コストが高くなる。その位置が角部とされることで、それら支障なく容易に透明シートの引き剥がしが可能となる。【０００７】  透明シートの取り剥がしに際し、表示マークが付されることで粘着材が存在しない角部が容易に認識される。また、この窓付き封筒は開封型とされることで開封されて窓の内面側が露呈する状態おいて、角部を持っての透明シートの取り剥がしが容易になされる。
【考案の効果】
【０００８】  この考案によれば、開封後において窓の透明シートの取り外しが容易に行える、リサイクル使用に便利な窓付き封筒が得られる。
【図面の簡単な説明】
【０００９】
【図１】  この考案の窓付き封筒の実施形態の正面図
【図２】  この考案の窓付き封筒の実施形態の背面図
【図３】  この考案の窓付き封筒製作に使用する基材シートの実施形態の展開図
【図４】  この考案の窓付き封筒の開封説明図
【図５】  この考案の窓付き封筒の透明シート部分の変形例を示す図
【図６】  この考案の窓付き封筒の透明シート部分のさらなる変形例を示す図
【考案を実施するための形態】
【００１０】  図１はこの考案の窓付き封筒の実施形態の正面図、図２は同背面図、図３は封筒製作に使用する基材シートの実施形態の展開図でその内面側を示す。封筒１は封筒本体２の前面の一方側上部に送り先住所表示用の方形の窓３を備え、その内面にはセロハン等の方形の透明シート５が貼られている。封筒１は開封型で開封用切り離し部となるミシン目６を備えている。
【００１１】  上記透明シート５はその周囲部が粘着材９により封筒本体２の内面に窓３の周囲に沿って、その一つの角部７を残す状態に貼り付けられ、その部分には剥し用の表示マーク３０が付されている。
【００１２】  封筒１の製作は、基材シート１０の下側部１１が窓３を有し透明シート５が貼られた中央部１２上に折り畳まれるとともに、その上部に上側部１４が折り畳まれて下側部１１と上側部１４との縁部どうしが貼り合わされ、さらに底部１５が上側部１４と下側部１１上に折り畳まれて貼り付けられることで行われる。
【００１３】  封筒１の開封は、ミシン目６により形成される裏面側の指かけ部２０を始めに切り離して封筒本体２の裏側に位置する部分を一体に立ち上げ、窓３のある側Ａの窓３とミシン目６との間部分を持ってミシン目６を切り離していき、さらに、窓３のある側Ａを左側に引っ張るようにしてミシン目６を切り離していく。
【００１４】  これにより、窓３の有る側Ａは両側に分かれるミシン目６に沿って窓の無い側Ｂから、図４に示すように、切り離されて開封される。この開封された状態において内部の郵便物の取出しが可能となる。上記において、ミシン目６により指かけ部２０が設けられており、また、ミシン目６に湾曲部６ａが備えられていることで、切り離し作業が容易、かつ、スムーズになされる。
【００１５】  次に、窓３の有る側Ａの内面に貼られている透明シート５の剥し用の表示マーク３０が付された角部７を指先で挟み持って右側に引くことで透明シート５は取り剥がされる。各図において粘着材９を点々を付することで示しているが、実際には透明で目視確認が困難であるので、表示マーク３０があることで粘着材９が存在しない角部７が容易に認識される。
【００１６】  図５、図６のそれぞれは透明シート５部分の変形例を示し、図５に示すものでは角部７を大きく取れるように側縁３２、３３を太巾としており、図６に示すものでは、さらに、その角部７の内側に粘着材９ａを付して窓３の周囲に連続して粘着材９が位置するようにし、窓３の密封性を高めている。
【符号の説明】
【００１７】１    封筒
２    封筒本体
３    窓
５    透明シート
６    ミシン目
７    角部
９    粘着材
３０  表示マーク
【図１】
0003158877.tif 000003
【図２】
0003158877.tif 000004
【図３】
0003158877.tif 000005
【図４】
0003158877.tif 000006
【図５】
0003158877.tif 000007
【図６】
0003158877.tif 000008
(57)【要約】【課題】  開封後に容易に窓の透明シートの取り外しが行える、リサイクル使用に便利な開封型窓付き封筒を提供する。【解決手段】  開封用切り離し部６を備えるとともに、内面側に透明シート５が貼られた窓３を備える開封型窓付き封筒において、透明シート５はその貼り付けが取り剥がし可能に行われるとともに、開封用切り離し部６を越える位置まで自由状態に延び出す、透明シート５の取り剥がしの際の持ち部７を一体に備えることを特徴とする開封型窓付き封筒。【選択図】図３
0003158876.tif 000002
【実用新案登録請求の範囲】
【請求項１】
開封用切り離し部を備えるとともに、内面側に透明シートが貼られた窓を備える開封型窓付き封筒において、
前記透明シートはその貼り付けが取り剥がし可能に行われるとともに、前記開封用切り離し部を越える位置まで自由状態に延び出す、前記透明シートの取り剥がしの際の持ち部を一体に備えることを特徴とする開封型窓付き封筒。
【請求項２】
前記開封用切り離し部がミシン目である請求項１記載の開封型窓付き封筒。
【請求項３】
前記透明シートの貼り付けが粘着材による請求項１記載の開封型窓付き封筒。
【考案の詳細な説明】
【技術分野】
【０００１】  この考案は、開封型窓付き封筒の改良に関する。
【背景技術】
【０００２】  最近においては、使用済みの封筒を再生紙としてリサイクル使用することが行われている。その際、窓付き封筒の場合には、窓の内面に貼り付けられたセロファン等の合成樹脂製の透明シートを取り除く必要があり、その作業は人手を要するので非常に手間がかかり、この点が窓付き封筒のリサイクル使用の妨げとなっている。
【考案の概要】
【考案が解決しようとする課題】
【０００３】  そこで、その取り除きが容易に行われるように、封筒の窓部分をミシン目で囲うようにして切り離せるようにしたものがあるが、やはりその切り離しに手間がかかる。【０００４】  この考案は、上記の事情に鑑みて行ったもので、開封後に容易に窓の透明シートの取り外しが行える、リサイクル使用に便利な開封型窓付き封筒を提供することを目的とする。【０００５】  この考案では、開封用切り離し部を備えるとともに、内面側に透明シートが貼られた窓を備える開封型窓付き封筒において、前記透明シートはその貼り付けが取り剥がし可能に行われるとともに、前記開封用切り離し部を越える位置まで自由状態に延び出す、前記透明シートの取り剥がしの際の持ち部を一体に備えることを特徴とする開封型窓付き封筒を提供する。【０００６】  上記構成によれば、窓の有る側が窓の無い側から切り離されて開封された状態において、窓の有る側の縁部より外方に突出して位置する持ち部を指先で挟み持つことで粘着材により貼られている透明シートが取り剥がされる。【０００７】  開封用切り離し部は適宜の構成によればよいが、例えば、ミシン目により形成される。透明シートの取り剥がし可能な貼り付けは、例えば、粘着材の使用により行われる。また、透明シートの取り剥がしの際の持ち部の形状は、指先で挟み持ちできる程度の大きさを有するものであれは適宜であってよい。通常封筒の窓は長方形でそれに貼られる透明シートも長方形であり、したがって横寸法が窓の横寸法より大きい透明シートを使用してその側部を持ち部とすることで製作が容易になされ、かつ、材料歩止まりも良好となる。
【考案の効果】
【０００８】  この考案によれば、開封後に窓の透明シートの取り外しが容易に行える、リサイクル使用に便利な開封型窓付き封筒が得られる。
【図面の簡単な説明】
【０００９】
【図１】  この考案の開封型窓付き封筒の実施形態の正面図
【図２】  この考案の開封型窓付き封筒の実施形態の背面図
【図３】  この考案の開封型窓付き封筒製作に使用する基材シートの実施形態の展開図
【図４】  この考案の開封型窓付き封筒の開封説明図
【考案を実施するための形態】
【００１０】  図１はこの考案の開封型窓付き封筒の実施形態の正面図、図２は同背面図、図３は封筒製作に使用する基材シートの実施形態の展開図でその内面側を示す。封筒１は封筒本体２の前面の一方側上部にセロハン等の透明シート５が内面側に貼られた送り先住所表示用の窓３を備えている。６は開封用切り離し部となるミシン目である。
【００１１】  上記透明シート５はその一方側に透明シート５の取り剥がしの際の持ち部７を一体に備えている。持ち部７は透明シート５が封筒本体２の窓３のある側Ａからミシン目６を越えて窓３のない側Ｂにまで至るように設けられることで形成されている。透明シート５はその周囲部が粘着材９により封筒本体２の内面に窓３の周囲に沿って貼り付けられ、持ち部７部分は自由状態となっている。
【００１２】  封筒１の製作は、基材シート１０の下側部１１が窓３を有し透明シート５が貼られた中央部１２上に折り畳まれるとともに、その上部に上側部１４が折り畳まれて下側部１１と上側部１４との縁部どうしが貼り合わされ、さらに底部１５が上側部１４と下側部１１上に折り畳まれて貼り付けられることで行われる。
【００１３】  封筒１の開封は、ミシン目６により形成される裏面側の指かけ部２０を始めに切り離して封筒本体２の裏側に位置する部分を一体に立ち上げ、窓３のある側Ａの窓３とミシン目６との間部分を持ってミシン目６を切り離していき、さらに、窓３のある側Ａを左側に引っ張るようにしてミシン目６を切り離していく。
【００１４】  これにより、窓３の有る側Ａは両側に分かれるミシン目６に沿って窓３の無い側Ｂから、図４に示すように、切り離されて開封される。その際透明シート５は窓３の有る側Ａとともに開かれる。この開封された状態において内部の郵便物の取出しが可能となる。上記において、ミシン目６により指かけ部２０が設けられており、また、ミシン目６に湾曲部６ａが備えられていることで、切り離し作業が容易、かつ、スムーズになされる。
【００１５】  次に、窓３の有る側Ａの縁部３０より外方に突出して位置する持ち部７を指先で挟み持って右側に引くことで、粘着材９により貼られている透明シート５は取り剥がされる。
【符号の説明】
【００１６】  １    封筒
２    封筒本体
３    窓
５    透明シート
６    ミシン目（開封用切り離し部）
７    持ち部
【図１】
0003158876.tif 000003
【図２】
0003158876.tif 000004
【図３】
0003158876.tif 000005
【図４】
0003158876.tif 000006
(57)【要約】【課題】本考案はマウスの操作を正確に安定して行うことができる硬質のマウスパッド構造を提供する。【解決手段】マウス感知面と、硬質プラスチック層と、少なくとも一つの滑り止め部と、によって構成し、該マウス感知面は該硬質プラスチック層の上に設け、該硬質プラスチック層下方には該少なくとも一つの滑り止め部を設ける。【選択図】図３
0003158837.tif 000002
【実用新案登録請求の範囲】
【請求項１】
マウス感知面と、
硬質プラスチック層と、
少なくとも一つの滑り止め部と、によって構成し、
該マウス感知面は該硬質プラスチック層の上に設け、
該硬質プラスチック層下方には該少なくとも一つの滑り止め部を設けることを特徴とする硬質のマウスパッド構造。
【請求項２】
該マウス感知面にはエンボス層を設けることを特徴とする、請求項１に記載の硬質のマウスパッド構造。
【請求項３】
該マウス感知面、硬質プラスチック層、及び滑り止め部は一体成形することを特徴とする、請求項１に記載の硬質のマウスパッド構造。
【請求項４】
該滑り止め部は、該硬質プラスチック層の一部分に設けることも、全体に分散させて設けることも、全面に渡って設けることもできることを特徴とする、請求項１に記載の硬質のマウスパッド構造。
【考案の詳細な説明】
【技術分野】
【０００１】
本考案はマウスパッドに関し、特に硬質の材質からなるマウスパッド構造に関する。
【背景技術】
【０００２】
図１は、従来のマウスパッドの外観を示した斜視図である。従来のマウスパッドは、マウス感知面１１、軟質プラスチック層１２、及び滑り止め部１３によって構成する。マウス感知面１１は軟質プラスチック層１２の上に設け、軟質プラスチック層１２の下方には滑り止め部１３を設ける。
【０００３】
上述した従来のマウスパッドには以下の欠点がある：
１、従来のマウスパッドは軟質プラスチックによってなるため、マウスを操作する際に使用者がマウスにかけた力は、マウスを通じてマウスパッドに伝わりマウスパッドを変形させ、それによりマウスは感知不良を起こし、マウスポインタが飛ぶように動いたり、意図しない方向に動いたりするようになる。
【０００４】
２、マウスはマウスパッド上で滑らすように動かすため、マウスとマウスパッドの間には摩擦が生じるが、従来のマウスパッドは軟質プラスチックによってなるため、耐摩擦性が低く、変形や磨耗がしやすい。
【考案の概要】
【考案が解決しようとする課題】
【０００５】
本考案は、マウスの操作を正確に安定して行うことができる硬質のマウスパッド構造を提供することにある。
【課題を解決するための手段】
【０００６】
そこで、本考案による硬質のマウスパッド構造は、マウス感知面と、硬質プラスチック層と、少なくとも一つの滑り止め部と、によって構成し、該マウス感知面は該硬質プラスチック層の上に設け、該硬質プラスチック層下方には該少なくとも一つの滑り止め部を設ける。
【考案の効果】
【０００７】
、本考案によるマウスパッドは硬質プラスチックによってなるため、マウスパッドが変形せず、マウス感知不良を起こしてマウスポインタが飛ぶように動いたり、意図しない方向に動いたりするのを防止することができ、また、耐摩擦性に優れ、磨耗がしにくい。
【図面の簡単な説明】
【０００８】
【図１】従来のマウスパッドの外観を示した斜視図である。
【図２】本考案による硬質のマウスパッド構造の構成を示した分解図である。
【図３】本考案による硬質のマウスパッド構造の外観を示した斜視図である。
【実施例】
【０００９】
図２と図３に示すように、本考案による硬質のマウスパッド構造は、マウス感知面２１、硬質プラスチック層２２、少なくとも一つの滑り止め部２３、及びエンボス層２４によって構成する。硬質プラスチック層２２の上にはマウス感知面２１を設け、マウス感知面２１にはエンボス層２４を設け、硬質プラスチック層２２下方には少なくとも一つの滑り止め部２３を設ける。
【００１０】
本考案の利点は以下の通りである：
１、本考案によるマウスパッドは硬質プラスチックによってなるため、マウスパッドが変形せず、マウス感知不良を起こしてマウスポインタが飛ぶように動いたり、意図しない方向に動いたりするのを防止することができる。
【００１１】
２、本考案によるマウスパッドは硬質プラスチックによってなるため、耐摩擦性に優れ、磨耗がしにくい。
【符号の説明】
【００１２】
１１    マウス感知面
１２    軟質プラスチック層
１３    滑り止め部
２１    マウス感知面
２２    硬質プラスチック層
２３    滑り止め部
２４    エンボス層
【図１】
0003158837.tif 000003
【図２】
0003158837.tif 000004
【図３】
0003158837.tif 000005
【手続補正書】
【提出日】平成22年2月16日(2010.2.16)
【手続補正１】
【補正対象書類名】実用新案登録請求の範囲
【補正対象項目名】請求項４
【補正方法】変更
【補正の内容】
【請求項４】
該滑り止め部は、該硬質プラスチック層の一部分に設けるか、該硬質プラスチック層の全体に分散させて設けるか、又は、該硬質プラスチック層の全面に設けることを特徴とする、請求項１に記載の硬質のマウスパッド構造。
(57)【要約】      （修正有）【課題】定形書類を束ねた状態で保管が可能で、しかも、低コストで量産に適したファイルケースを提供する。【解決手段】略長方形の箱状で、１辺に、底板と上蓋の開閉用ヒンジを設け、底板のヒンジ近傍に、複数の貫通孔を設ける。書類を束ねたピンから書類が抜ける事を防止する開閉式の蓋を設けた綴じ具に、貫通孔と同じ間隔で突起を設ける。突起は、底板に接する面上に設けられ、その太さは、貫通孔の直径と同等以下で、高さは、ファイルケースを閉じた時の、底板内面と上蓋内面との距離から、蓋を閉めた状態の綴じ具の厚さを除いた寸法よりも大きく、なおかつ、底板の厚さに対して同等以下とする。【選択図】図１
0003158889.tif 000002
【実用新案登録請求の範囲】
【請求項１】
略長方形の箱状で、１辺に、底板と上蓋の開閉用ヒンジを設け、定形サイズの書類等を保管する書類入れにおいて、以下の様に装置した事を特徴とする、低コストのファイルケース。
１，底板のヒンジ近傍に、複数の貫通孔を設けた。
２，書類に開けられた２つの貫通孔にピンを通して束ね、ピンから書類が抜ける事を防止する開閉式の蓋を設けた綴じ具に、底板に設けた貫通孔と同じ間隔で突起を設けた。
３，綴じ具に設ける突起は、書類の束を底板の上に置いた時、底板に接する面上に設ける事とし、その太さは、底板に設けた貫通孔の直径と同等以下とした。
４，綴じ具に設けた突起の高さ寸法は、ファイルケースを閉じた時の、底板内面と上蓋内面との距離から、蓋を閉めた状態の綴じ具の厚さを除いた寸法よりも大きく、なおかつ、底板の厚さに対して同等以下とした。
５，綴じ具を取り付ける位置を示す為の、複数の突起またはリブを、底板の内側で、貫通孔の近傍に設けた。
【考案の詳細な説明】
【技術分野】
【０００１】本考案は、主として一端に２つのパンチ孔、即ち一対の貫通孔を設けた定形サイズの書類を保管し、必要に応じて取り出し、書類をめくって閲覧する事ができるファイルケースに関する。
【背景技術】
【０００２】書類を束ねる為の綴じ具を設け、その綴じ具をファイルケースに着脱自在に装置した技術は存在するが、構造が複雑で原価が高くなり、産業として利用するには不向きであった。
【先行技術文献】
【特許文献】
【０００３】
【特許文献１】  特許公開平９−３１５０７１
【非特許文献】
【０００４】
【非特許文献１】  なし
【考案の概要】
【考案が解決しようとする課題】
【０００５】特許公開平９−３１５０７１（以下、先行技術と呼ぶ）と同等の機能を有し、低コストで、量産に適した構造のファイルケースが求められている。
【課題を解決する為の手段】
【０００６】ファイルケースの底板に複数の貫通孔を設け、綴じ具に設けた突起を嵌め込む事で、課題を解決する。また、突起の高さを適切に設定する事で、ファイルケースを閉じた時には、綴じ具が外れる事が無く保持され、また、底板の貫通孔から突起が突き出す事も無い。
【考案の効果】
【０００７】本考案によれば、先行技術よりも構造がシンプルになる為、量産用の金型も低コストで製造する事が可能で、材料費も少なくなり、トータルで低コストの製品を販売する事ができる。
また、販売価格を下げる事が可能になる為、先行技術と同機能の商品を、広く一般に普及させる事が可能となる。
【図面の簡単な説明】
【０００８】
【図１】本発明品の、綴じ具を取り外した状態の斜視図である。
【図２】本発明品のファイルケースを、開いた状態の正面図であり、綴じ具を含む。
【図３】綴じ具の蓋を開いた状態の、断面図である。
【図４】綴じ具の背面図であり、底板に当接する面を表す。
【考案を実施するための形態】
【０００９】一端に開閉用のヒンジを有する、箱状のファイルケースにおいて、以下の様に装置する。
１，底板のヒンジ近傍に、２つの貫通孔を設ける。
２，書類を束ねて保持する綴じ具に、底板に設けた貫通孔と同間隔で突起を設ける。
３，綴じ具に設けた突起の太さは、底板に設けた貫通孔の直径と同等以下とする。
４，綴じ具に設けた突起の高さ寸法は、ファイルケースを閉じた時の底板内面と上蓋内面との距離から、綴じ具の厚さを除いた寸法よりも大きく、なおかつ、底板の厚さに対して同等以下とする。
５，綴じ具を取り付ける位置を示す為の、複数の突起またはリブを、底板の内側で、貫通孔の近傍に設ける。
【実施例】
【００１０】以下、添付図面に従って、一実施例を説明する。１及び２は、樹脂で成形された上蓋と底板であり、ヒンジ３を含めて一体成形する事により、開閉自在に構成され、綴じた状態では箱状の容器を形成する。５は、底板の側面に形成された突起であり、４は、上蓋に設けられた係止用のロック装置であり、本体を閉じた状態で４の凹部を５に嵌め込む事でロックされる。【００１１】８は、定形サイズの用紙に設けられた２個のパンチ孔を利用して、書類を束ねる為の綴じ具であり、内側に設けた１対のピン９を、書類のパンチ孔に差し込み、蓋１０に設けた１１の凹部を、ピン９に被せて嵌め込む事で、書類を束ねる事ができる。
綴じ具８の背面には、１対の突起１２が設けられており、綴じ具８で束ねられた書類を底板２の上に置く際、２に設けられた一対の貫通孔６に突起１２を合わせる事で、所定の位置に書類が収まる。また、底板２には、位置決め用のリブ７が設けられているので、目視で簡単に位置を把握する事が可能で、貫通孔６の位置を探す手間が省ける。【００１２】また、綴じ具８の高さは、上蓋１の内側の面と、底板２の内側の面との距離よりも若干小さくし、突起１２の高さは、底板１２の厚さに対して同等以下に装置する。この様に構成する事により、ファイルケースの開閉に支障が無く、ファイルケースを閉じた状態で綴じ具８が移動する事も無く、突起１２が、ファイルケースから突き出して邪魔になる事も無い。
以上が、本考案の一実施例である。
【符号の説明】
【００１３】１  箱状のファイルケースを形成する、上蓋
２  箱状のファイルケースを形成する、底板
３  上蓋と底板に一体成形され、上蓋の開閉を可能にする、ヒンジ
４  上蓋の開閉を規制する、係止具
５  係止具を嵌め込む為の、突起
６  底板のヒンジ近傍に設けた、一対の貫通孔
７  位置決め用の、リブ
８  一対のパンチ孔を設けた、定形サイズの書類を束ねる、綴じ具
９  書類のパンチ孔に挿入する、一対のピン
１０綴じ具の蓋の部分で、綴じ具本体に一体成形された部分
１１綴じ具の蓋の裏側に設けられ、ピンに嵌め込む凹部
１２綴じ具の下面に設けた一対の突起で、底板に設けた貫通孔と同距離に配置される。
【図１】
0003158889.tif 000003
【図２】
0003158889.tif 000004
【図３】
0003158889.tif 000005
【図４】
0003158889.tif 000006